(57)【要約】【課題】複数の送信所からの放送電波が受信できる領域が複雑に入り組んだ地域であっても、容易に適切なチャンネルを選択（選局）することができる「デジタル放送受信装置」を提供することである。【解決手段】複数の送信所から、送信所毎に複数の放送局のそれぞれに対して決められたチャンネルを用いて放送される前記複数の放送局からの番組を受信するデジタル放送受信装置であって、各送信所に対応させて前記複数の放送局のそれぞれに対して決められたチャンネルを表すチャンネルプリセットリストを記憶する記憶部２４と、前記チャンネルプリセットリストに基づいて、前記切換え前の放送局のチャンネルが対応付けられた送信所に対応付けられる前記切換え後の放送局のチャンネルを受信チャンネルとして選択する第１選局制御手段（２０：Ｓ１４、Ｓ１６）とを有する構成となる。【選択図】図３
2014143622.tif 000002
【特許請求の範囲】
【請求項１】
複数の送信所から、送信所毎に複数の放送局のそれぞれに対して決められたチャンネルを用いて放送される前記複数の放送局からの番組を受信するデジタル放送受信装置であって、
各送信所に対応させて前記複数の放送局のそれぞれに対して決められたチャンネルを表すチャンネルプリセットリストを記憶する記憶部と、
受信される番組を一の放送局の番組から他の放送局の番組に切り換える際に、前記記憶部に記憶された前記チャンネルプリセットリストに基づいて、前記切換え前の放送局のチャンネルが対応付けられた送信所に対応付けられる前記切換え後の放送局のチャンネルを受信チャンネルとして選択する第１選局制御手段とを有するデジタル放送受信装置。
【請求項２】
受信される番組を一の放送局の番組から他の放送局の番組に切り換える際に、前記記憶部に記憶された前記チャンネルプリセットリストに基づいて、前記切換え前の放送局のチャンネルが対応付けられた複数の送信所に対応づけられる前記切換え後の放送局の複数のチャンネルから１つのチャンネルを受信チャンネルとして選択する第２選局制御手段を有する請求項１記載のデジタル放送受信装置。
【請求項３】
前記記憶部に記憶されたチャンネルプリセットリストに基づいて、現在受信可能な放送局とチャンネルとの関係を送信所毎に区別して表示部に表示させる表示制御手段を有する請求項１または２記載のデジタル放送受信装置。
【請求項４】
複数の送信所から、送信所毎に複数の放送局のそれぞれに対して決められたチャンネルを用いて放送される前記複数の放送局からの番組を受信するデジタル放送受信装置の記憶部に記憶され、受信すべき番組の放送局に対応したチャンネルを選択する際に用いられるチャンネルプリセットリストであって、
各送信所に対応させて前記複数の放送局のそれぞれに対して決められたチャンネルを表すチャンネルプリセットリスト。
【請求項５】
複数の送信所から、送信所毎に複数の放送局のそれぞれに対して決められたチャンネルを用いて放送される前記複数の放送局からの番組を受信するデジタル放送受信装置で行われるチャンネル切換え方法であって、
記憶部に記憶され、各送信所に対応させて前記複数の放送局のそれぞれに対して決められたチャンネルを表すチャンネルプリセットリストを用い、
受信される番組を一の放送局の番組から他の放送局の番組に切り換える際に、前記記憶部に記憶された前記チャンネルプリセットリストに基づいて、前記切換え前の放送局のチャンネルが対応付けられた送信所に対応付けられる前記切換え後の放送局のチャンネルを受信チャンネルとして選択する第１選局制御ステップを有するチャンネル切換え方法。
【請求項６】
受信される番組を一の放送局の番組から他の放送局の番組に切り換える際に、前記記憶部に記憶された前記チャンネルプリセットリストに基づいて、前記切換え前の放送局のチャンネルが対応付けられた複数の送信所に対応づけられる前記切換え後の放送局の複数のチャンネルから１つのチャンネルを受信チャンネルとして選択する第２選局制御ステップを有する請求項５記載のチャンネル切換え方法。
【発明の詳細な説明】
【技術分野】
【０００１】
本発明は、地上デジタルテレビ放送の受信装置等のデジタル放送受信装置、それに用いられるチャンネルプロセットリスト及び前記デジタル放送受信装置でのチャンネル切換え方法に関する。
【背景技術】
【０００２】
従来、特許文献１に記載される地上デジタルテレビ受信装置が知られている。この地上デジタルテレビ受信装置は、車両等の移動体の搭載に適したもので、各放送局（放送事業者）の番組を放送する各送信所と放送エリアとの対応を示す送信所テーブルと、各放送エリアと、その放送エリアにおいて受信可能なチャンネルとの対応を示すチャンネルテーブルとを有している。そして、受信される放送電波から抽出される送信所に関する情報から、前記送信所テーブルを参照して、現在の移動体が位置する放送エリアが判定され、更に、前記チャンネルテーブルを参照して、前記放送エリアにて受信可能なチャンネルがプリセットテーブル（チャンネルプリセットテーブル）として登録される。以後、プリセットテーブルに従って、選局がなされる。
【０００３】
このような地上デジタルテレビ装置によれば、移動体がいずれの位置にあっても、適切なプリセットテーブルを登録することができる。その結果、そのプリセットテーブルに従って、適切なチャンネルの選択（選局）が可能になって、放送局からの番組を常に良好な状態で視聴することができる。
【先行技術文献】
【特許文献】
【０００４】
【特許文献１】特開２００７−３３６４０８号公報
【発明の概要】
【発明が解決しようとする課題】
【０００５】
しかしながら、上述した従来の地上デジタルテレビ放送受信装置では、受信される放送電波から、常時、送信所からの放送電波を受信し、現在位置にて受信される電波がどの送信所から放送されたものであるかを監視していなければならならず、その処理の負担が大きい。更に、複数の送信所からの放送電波を受信できる領域が複雑に入り組んだ地域では、複数の送信所からの放送電波を受信される可能性もあり、そのような場合に最終的に適切なプリセットテーブルを決めることが難しく、その結果、適切なチャンネルを選択することが難しい。
【０００６】
本発明は、このような事情に鑑みてなされたもので、複数の送信所からの放送電波が受信できる領域が複雑に入り組んだ地域であっても、容易に適切なチャンネルを選択（選局）することができるデジタル放送受信装置を提供するものである。
【０００７】
また、本発明は、そのようなデジタル放送受信装置において用いられるチャンネルプリセットリストを提供するものである。
【０００８】
更に、本発明は、そのようなデジタル放送受信装置でのチャンネル切換え方法を提供するものである。
【課題を解決するための手段】
【０００９】
本発明に係るデジタル放送受信装置は、複数の送信所から、送信所毎に複数の放送局のそれぞれに対して決められたチャンネルを用いて放送される前記複数の放送局からの番組を受信するデジタル放送受信装置であって、各送信所に対応させて前記複数の放送局のそれぞれに対して決められたチャンネルを表すチャンネルプリセットリストを記憶する記憶部と、受信される番組を一の放送局の番組から他の放送局の番組に切り換える際に、前記記憶部に記憶された前記チャンネルプリセットリストに基づいて、前記切換え前の放送局のチャンネルが対応付けられた送信所に対応付けられる前記切換え後の放送局のチャンネルを受信チャンネルとして選択する第１選局制御手段とを有する構成となる。
【００１０】
このような構成により、受信される番組を一の放送局の番組から他の放送局の番組に切り換える際に、各送信所に対応させて複数の放送局のそれぞれに対して決められたチャンネルを表すチャンネルプリセットリストに基づいて、切換え前の放送局のチャンネルが対応付けられた送信所に対応づけられる切換え後の放送局のチャンネルが受信チャンネルとして選択される。切換え前の放送局からの番組が良好に受信されていれば、それと同じ送信所から放送される切換え後の放送局からの番組が受信されるので、その切換え後の放送局からの番組も良好に受信し得る。
【００１１】
本発明に係るデジタル放送受信装置において、受信される番組を一の放送局の番組から他の放送局の番組に切り換える際に、前記記憶部に記憶された前記チャンネルプリセットリストに基づいて、前記切換え前の放送局のチャンネルが対応付けられた複数の送信所に対応づけられる前記切換え後の放送局の複数のチャンネルから１つのチャンネルを受信チャンネルとして選択する第２選局制御手段を有する構成とすることができる。
【００１２】
このような構成により、受信される番組を一の放送局の番組から他の放送局の番組に切り換える際に、各送信所に対応させて複数の放送局のそれぞれに対して決められたチャンネルを表すチャンネルプリセットリストに基づいて、切換え前の放送局のチャンネルが対応付けられた複数の送信所に対応づけられる切換え後の放送局の複数のチャンネルから１つのチャンネルが受信チャンネルとして選択される。切換え前の放送局のチャンネルが対応付けられた複数の送信所のうち、当該切換え前の放送局からの番組を放送する送信所と同じ送信所に対応付けられる切換え後の放送局のチャンネルが選択され得るので、切換え前の放送局からの番組が良好に受信されていれば、その切換え後の放送局からの番組を良好に受信することが可能である。
【００１３】
本発明に係るデジタル放送受信装置において、前記記憶部に記憶されたチャンネルプリセットリストに基づいて、現在受信可能な放送局とチャンネルとの関係を送信所毎に区別して表示部に表示させる表示制御手段を有する構成とすることができる。
【００１４】
このような構成により、利用は、送信所毎に区別して受信可能な放送局とチャンネルとの関係を知ることができる。
【００１５】
本発明に係るチャンネルプリセットリストは、複数の送信所から、送信所毎に複数の放送局のそれぞれに対して決められたチャンネルを用いて放送される前記複数の放送局からの番組を受信するデジタル放送受信装置の記憶部に記憶され、受信すべき番組の放送局に対応したチャンネルを選択する際に用いられるチャンネルプリセットリストであって、各送信所に対応させて前記複数の放送局のそれぞれに対して決められたチャンネルを表す構成とすることができる。
【００１６】
本発明に係るチャンネル切換え方法は、複数の送信所から、送信所毎に複数の放送局のそれぞれに対して決められたチャンネルを用いて放送される前記複数の放送局からの番組を受信するデジタル放送受信装置で行われるチャンネル切換え方法であって、記憶部に記憶され、各送信所に対応させて前記複数の放送局のそれぞれに対して決められたチャンネルを表すチャンネルプリセットリストを用い、受信される番組を一の放送局の番組から他の放送局の番組に切り換える際に、前記記憶部に記憶された前記チャンネルプリセットリストに基づいて、前記切換え前の放送局のチャンネルが対応付けられた送信所に対応付けられる前記切換え後の放送局のチャンネルを受信チャンネルとして選択する第１選局制御ステップを有する構成となる。
【００１７】
また、本発明に係るチャンネル切換え方法において、受信される番組を一の放送局の番組から他の放送局の番組に切り換える際に、前記記憶部に記憶された前記チャンネルプリセットリストに基づいて、前記切換え前の放送局のチャンネルが対応付けられた複数の送信所に対応づけられる前記切換え後の放送局の複数のチャンネルから１つのチャンネルを受信チャンネルとして選択する第２選局制御ステップを有する構成とすることができる。
【発明の効果】
【００１８】
本発明に係るデジタル放送受信装置によれば、受信される番組を一の放送局の番組から他の放送局の番組に切り換える際に、予め記憶部に記憶された、各送信所に対応させて前記複数の放送局のそれぞれに対して決められたチャンネルを表すチャンネルプリセットリストに基づいて、切換え前の放送局のチャンネルが対応付けられた送信所に対応づけられる切換え後の放送局のチャンネルが受信チャンネルとして選択されるので、複数の送信所からの放送電波が受信できる領域が複雑に入り組んだ地域であっても、容易に適切なチャンネルを選択（選局）することができる。
【００１９】
また、本発明に係るチャンネルプリセットリストによれば、受信される番組を一の放送局の番組から他の放送局の番組に切り換える際に、切換え前の放送局のチャンネルが対応付けられた送信所に対応づけられる切換え後の放送局のチャンネルを受信チャンネルとして容易に選択することができる。
【００２０】
更に、本発明に係るチャンネル切換え方法によれば、受信される番組を一の放送局の番組から他の放送局の番組に切り換える際に、予め記憶部に記憶された、各送信所に対応させて前記複数の放送局のそれぞれに対して決められたチャンネルを表すチャンネルプリセットリストに基づいて、切換え前の放送局のチャンネルが対応付けられた送信所に対応づけられる切換え後の放送局のチャンネルが受信チャンネルとして選択されるので、複数の送信所からの放送電波が受信できる領域が複雑に入り組んだ地域であっても、容易に適切なチャンネルに切り換えることができる。
【図面の簡単な説明】
【００２１】
【図１】本発明の実施の形態に係るデジタル放送受信装置の構成を示すブロック図である。
【図２】１つのチャンネルプリセットリストが設定されるエリアの例を示す図である。
【図３】図２に示すエリアに対して設定されるチャンネルプリセットリストの一例を示す図である。
【図４】図１に示すデジタル放送受信装置の制御ユニットにてなされるチャンネル切換えに係る処理の流れを示すフローチャートである。
【図５】チャンネルの切換えの手順の第１の例をチャンネルプリセットリスト上で示す図である。
【図６】チャンネルの切換えの手順の第２の例をチャンネルプリセットリスト上で示す図である。
【発明を実施するための形態】
【００２２】
本発明の実施の一形態について図面を用いて説明する。
【００２３】
本発明の実施の一形態に係るデジタル放送受信装置は、図１に示すように構成される。図１に示すデジタル放送受信装置は、車両に搭載された地上デジタルテレビ放送受信装置である。この地上デジタルテレビ放送受信装置は、複数の送信所から、送信所毎に複数の放送局（ＮＨＫ総合、ＮＨＫ教育等の放送事業者）のそれぞれに対して決められたチャンネルを用いてテレビ放送される前記複数の放送局からの番組を受信し、その番組の映像及び音声を出力する。
【００２４】
図１において、この地上デジタルテレビ放送受信装置は、選局部１１、復調部１２、多重分離部１３、デコード部１４、映像処理部１５、音声処理部１６、表示部２１及びスピーカ２２を有している。選局部１１は、アンテナにて受信される放送電波から指定されたチャンネル（物理チャンネル）の放送信号を抽出する（選局）。復調部１２は、選局部１１からの放送信号（ＯＦＤＭで変調されている）を復調して前記放送信号に対応したデジタル信号を生成する。放送信号は、映像及び音声の他に、種々のデータ（ＥＰＧ、選局に必要な情報等）を含んでいる。多重分離部１３は、映像及び音声を含む信号（ＴＳパケット）と、その他の信号とを分離する。デコード部１４は、多重分離部１３からの映像及び音声を含む信号（ＴＳパケット）を復号して、所定の形式の映像信号と音声信号とを生成する。デコード部１４での復号により得られた映像信号は映像処理部１５にて処理され、その映像信号に基づいた映像が表示部２１に表示される。また、デコード部１４での復号により得られた音声信号は音声処理部１６にて処理され、その音声信号に基づいた音声がスピーカ２２から出力される。
【００２５】
この地上デジタルテレビ放送受信装置は、更に、制御ユニット２０、操作部２３及び記憶部２４を有している。制御ユニット２０は、前述した選局部１１、復調部１２、多重分離部１３及びデコード部１４の動作を制御する。また、制御ユニット２０は、映像処理部１５を制御して生成した画像情報に基づいた映像（文字、表、画像等）を単独で、また、デコード部１４での復号により得られたた映像信号に基づいた放送番組の映像に重畳させて、表示部２１に表示させることができる。操作部２３は、リモコン操作器、スイッチ類及び表示部２１に設けられたタッチパネル等によって構成され、制御ユニット２０に対して操作情報を送る。記憶部２４は、制御ユニット２０の処理に必要な情報やその処理にて得られた種々の情報を記憶する。この記憶部２４には、複数のエリアのそれぞれにて受信可能な番組の放送局（放送事業者）に対して決められたチャンネルを表すチャンネルプリセットリストが記憶されている。制御ユニット２０は、記憶部２４に記憶されたチャンネルプリセットリストに基づいて、選局部１１に対する選局制御を行う。
【００２６】
前述したように、種々のエリアに対して設定されたチャンネルプリセットリストが記憶部２４に記憶されている。例えば、図２に示すようなエリアＥ（太矩形枠線内）に対して１つのチャンネルプリセットリストが設定されている。このエリアＥは、ＴＴＴ中継所（送信所）から放送される番組、ＭＭＭ中継所（送信所）から放送される番組、及びＮＮＮ中継所（送信所）から放送される番組を受信することができる。更に、詳細に見ると、エリアＥの地点Ｐ１では、ＴＴＴ中継所から放送される番組だけが受信可能であり、地点Ｐ２では、ＴＴＴ中継所から放送される番組とＮＮＮ中継所から放送される番組との双方を受信することができ、また、地点Ｐ３では、ＭＭＭ中継所から放送される番組だけが受信可能である。更に、エリアＥの地点Ｐ４では、ＴＴＴ中継所からの放送される番組とＭＭＭ中継所から放送される番組との双方を受信することができ、地点Ｐ５では、ＴＴＴ中継所から放送される番組、ＭＭＭ中継所からの番組、及びＮＮＮ中継所から放送される番組を受信することができる。また、地点Ｐ６では、ＮＮＮ中継所から放送される番組だけを受信することができる。
【００２７】
このエリアＥに対して、設定されるチャンネルプリセットリストは、例えば、図３に示すように構成される。
【００２８】
図３において、このチャンネルプリセットリストは、各送信所（ＴＴＴ中継所、ＭＭＭ中継所、ＮＮＮ中継所）に対応させて１０（複数）の放送局（放送事業者：ＡＡＡ局（例えば、ＨＮＫ総合）、ＢＢＢ局（例えば、ＮＨＫ教育）、ＣＣＣ局、ＤＤＤ局、ＥＥＥ局、ＦＦＦ局、ＧＧＧ局、ＨＨＨ局、ＪＪＪ局、ＫＫＫ局）のそれぞれに対して決められたチャンネルを表している。例えば、ＴＴＴ中継所からは、ＡＡＡ局の番組がチャンネル「３５」を用いて放送され、ＢＢＢ局の番組がチャンネル「４７」を用いて放送される、等であることから、チャンネルプリセットリストでは、ＴＴＴ中継所に対応させて、ＡＡＡ局にチャンネル「３５」が、ＢＢＢ局にチャンネル「４７」が、等のように１０の放送局のそれぞれに対してチャンネルが対応づけられている。ＭＭＭ中継所からは、ＡＡＡ局の番組がチャンネル「２７」を用いて放送され、ＢＢＢ局の番組がチャンネル「２６」を用いて放送される、等であることから、チャンネルプリセットリストでは、ＭＭＭ中継所に対応させて、ＡＡＡ局にチャンネル「２７」が、ＢＢＢ局にチャンネル「２６」が、等のように１０の放送局のそれぞれに対してチャンネルが対応づけられている。また、ＮＮＮ中継所からは、ＡＡＡ局の番組がチャンネル「１９」を用いて放送され、ＢＢＢ局の番組がＭＭＭ中継所と同様にチャンネル「２６」を用いて放送される、等であることから、チャンネルプリセットリストでは、ＮＮＮ中継所に対応させて、ＡＡＡ局にチャンネル「１９」が、ＢＢＢ局にチャンネル「２６」が、等のように１０の放送局のそれぞれに対してチャンネルが対応づけられている。
【００２９】
制御ユニット２０は、記憶部２４に記憶されたチャンネルプリセットリストを用いて、例えば、図４に示す手順に従って、チャンネル切換えに係る処理を実行する。
【００３０】
制御ユニット２０は、車両に搭載されたナビゲーションシステムのＧＰＳユニットによって検出される当該車両の位置を表す位置情報を取得し、その位置情報が表す位置を含む、例えば、図２に示すエリアＥに設定されたチャンネルプリセットリスト（図３参照）を記憶部２４から読み出す。そして、制御ユニット２０は、このチャンネルプリセットリストを用いて地上デジタル放送の受信チャンネルの切換えを行う。
【００３１】
図４において、操作部２３（例えば、表示部２１のタッチパネル）にてある放送局（例えば、ＮＨＫ総合）の番組を受信するための選局操作がなされると、制御ユニット２０は、所定の手法に従って、その選局操作にて指定された放送局からの番組が良好に受信されるチャンネルを選択し、該選択したチャンネルに基づいて選局部１１を制御する（Ｓ１１）。復調部１２、多重分離部１３、デコード部１４、映像処理部１６及び音声処理部１６の各部での処理により、前記選択（選局）されたチャンネルに対応した放送局の番組の映像が表示部２１に表示されるとともにその番組の音声がスピーカ２２から出力される。
【００３２】
その後、制御ユニット２０は、操作部２３での再度の選局操作に基づいた受信チャンネルの切換えが行われるか否かを繰り返し判定する（Ｓ１２）。その過程で、操作部２３にて現在受信している放送局の番組から異なる放送局の番組に切り換えるための選局操作がなされると（Ｓ１２でＹＥＳ）、制御ユニット２０は、図３に示すチャンネルプリセットリストに基づいて、切換え前の放送局のチャンネルに対応付けられた送信所に対応づけられる切換え後の放送局のチャンネルを取得する（Ｓ１３）。
【００３３】
例えば、ＡＡＡ局の番組からＤＤＤ局の番組に切り換える場合、図５の破線矢印ａで示すように、切換え前のＡＡＡ局のチャンネルが「３５」であれば、そのチャンネル「３５」に対応したＴＴＴ中継所に対応づけられる切換え後のＤＤＤ局のチャンネル「４２」が取得される（例えば、図２における地点Ｐ１での切換え）。同様に、ＡＡＡ局の番組からＤＤＤ局の番組に切り換える場合、図５の破線矢印ｂで示すように、切換え前のＡＡＡ局のチャンネルが「２７」であれば、そのチャンネル「２７」に対応したＭＭＭ中継所に対応づけられる切換え後のＤＤＤ局のチャンネル「２２」が取得される（例えば、図２における地点Ｐ３での切換え）。
【００３４】
また、例えば、ＧＧＧ局の番組からＢＢＢ局の番組に切り換える場合、図５の破線矢印ｃ及び破線矢印ｄで示すように、切換え前のＧＧＧ局のチャンネルが「２３」であれば、そのチャンネル「２３」に対応するＭＭＭ中継所に対応づけられる切換え後のＢＢＢ局のチャンネル「２６」と、前記チャンネル「２３」に対応したＮＮＮ中継所対応づけられる切換え後のＢＢＢ局のＭＭＭ中継所の場合と同じチャンネル「２６」が取得される（例えば、図２における地点Ｐ５での切換え）。
【００３５】
更に、例えば、ＦＦＦ局の番組からＡＡＡ局の番組に切り換える場合、図６の破線矢印ｅで示すように、切換え前のＦＦＦ局のチャンネルが「２４」であれば、そのチャンネル「２４」に対応したＭＭＭ中継局に対応づけられる切換え後のＡＡＡ局のチャンネル「２７」（例えば、図２における地点Ｐ３での切換え）と、図６の破線矢印ｆで示すように、前記チャンネル「２４」に対応したＮＮＮ中継所に対応づけられる切換え後のＡＡＡ局のチャンネル「１９」（例えば、図２における地点Ｐ６での切換え）が取得される。
【００３６】
制御ユニット２０は、上述したようにして、図３に示すチャンネルプリセットリストに基づいて、切換え前の放送局のチャンネルに対応付けられた送信所に対応づけられる切換え後の放送局のチャンネルを取得すると（Ｓ１３）、複数のチャンネルが取得されたか否かを判定する（Ｓ１４）。複数のチャンネルではなく、単一のチャンネルが取得された場合（Ｓ１４でＹＥＳ）、例えば、図５（破線矢印ａ、ｂ参照）に示すように、ＡＡＡ局（チャンネル「３５」または「２７」）から切換えられたＤＤＤ局のチャンネル「４２」または「２２」が取得された場合（図５における破線矢印ａ、ｂ参照）、制御ユニット２０は、その取得されたチャンネル「４２」または「２２」を切り換え後の受信チャンネルとして選択する（Ｓ１６）（Ｓ１４→Ｓ１６：第１選局制御手段、第１選局制御ステップ）。
【００３７】
一方、制御ユニット２０は、複数のチャンネルを取得すると（Ｓ１４でＹＥＳ）、それら複数のチャンネルが同じであるか否かを判定する（Ｓ１５）。取得された複数のチャンネルが同一である場合（Ｓ１５でＹＥＳ）、例えば、図５（破線矢印ｃ、ｄ参照）に示すように、ＧＧＧ局（チャンネル「２３」）から切り換えられたＭＭＭ中継局に対応づけられるＢＢＢ局のチャンネル「２６」と、同様に、ＧＧＧ局（チャンネル「２３」）から切り換えられたＮＮＮ中継局に対応づけられるＢＢＢ局のチャンネル「２６」とが取得された場合、制御ユニット２０は、その取得されたその同じチャンネル「２６」を切り換え後の受信チャンネルとして選択する（Ｓ１６）（Ｓ１４→Ｓ１５→Ｓ１６：第１選局制御手段、第１選局制御ステップ）。
【００３８】
前述した複数のチャンネルが同一でない場合（Ｓ１５でＮＯ）、例えば、図６（破線矢印ｅ、ｆ参照）に示すように、ＦＦＦ局（チャンネル「２４」）から切り換えられたＭＭＭ中継所に対応付けられたＡＡＡ局のチャンネル「２７」と、ＦＦＦ局（チャンネル「２４」）から切り換えられたＮＮＮ中継所に対応付けられたＡＡＡ局のチャンネル「１９」とが取得された場合、制御ユニット２０は、それら複数のチャンネル「２７」及び「１９」のいずれかを受信チャンネルとして選択し（Ｓ１７）、その選択した受信チャンネルでの受信品質が良好であるか否かを判定する（Ｓ１８）。その選択した受信チャンネルでの受信品質が所定の品質に達していなければ（Ｓ１８でＮＯ）、前記複数のチャンネルから他のチャンネルを受信チャンネルとして選択し（Ｓ１７：図６の破線矢印ｇ参照）、その選択した受信チャンネルでの受信品質が良好であるか否かを判定する（Ｓ１８）。このような処理（Ｓ１７、Ｓ１８）を繰り返して、前記複数のチャンネルから受信品質が良好なチャンネルが最終的な受信チャンネルとして選択される（Ｓ１７、Ｓ１８でＹＥＳ）（Ｓ１４→Ｓ１５でＮＯ→Ｓ１７→Ｓ１８でＹＥＳ：第２選局制御手段、第２選局制御ステップ）。
【００３９】
制御ユニット２０は、上述したようにして切換え後の放送局のチャンネルを新たな受信チャンネルとして選択すると、その選択されたチャンネルに基づいて、選局部１１を制御する（Ｓ１１）。そして、復調部１２、多重分離部１３、デコード部１４、映像処理部１６及び音声処理部１６の各部での処理により、前記新たに選択（選局）されたチャンネルに対応した切換え後の放送局の番組の映像が表示部２１に表示されるともにその番組の音声がスピーカ２２から出力される。
【００４０】
上述したような地上デジタルテレビ放送受信装置では、受信される番組を一の放送局の番組から他の放送局の番組に切り換える際に、各送信所（ＴＴＴ中継所、ＭＭＭ中継所、ＮＮＮ中継所）に対応させて複数（１０個）の放送局のそれぞれに対して決められたチャンネルを表すチャンネルプリセットリスト（図３参照）に基づいて、切換え前の放送局のチャンネルが対応付けられた送信所に対応づけられる切換え後の放送局のチャンネルが受信チャンネルとして選択される（図５の破線矢印ａ、ｂ、ｃ、ｄ参照）。このため、切換え前の放送局からの番組が良好に受信されていれば、それと同じ送信所から放送される切換え後の放送局からの番組が受信されるので、その切換え後の放送局からの番組も良好に受信できる。そして、このように、各送信所に対応させて複数の放送局のそれぞれに対して決められたチャンネルを表すチャンネルプリセットリスト（図３参照）を用いて、切換え後の放送局のチャンネル（受信チャンネル）を選択するようにしているので、複数の送信所からの放送電波が受信できる領域が複雑に入り組んだ地域（例えば、図２参照）であっても、容易に適切なチャンネルを選択（選局）することができる。
【００４１】
また、受信される番組を一の放送局の番組から他の放送局の番組に切り換える際に、前記チャンネルプリセットリスト（図３参照）に基づいて、切換え前の放送局のチャンネルが対応付けられた複数の送信所に対応づけられる切換え後の放送局の複数のチャンネルが取得された場合（例えば、図６の破線矢印ｅ、ｆ参照）、それら複数の送信所に対応づけられる切換え後の送信局の複数のチャンネルから１つのチャンネルが１つの受信チャンネルとして選択される。その受信チャンネルとして選択されるチャンネルに対応する送信所が、切換え前の放送局のチャンネルが対応付けられた送信所と同じであれば、切換え前の放送局からの番組と同様に、その切換え後の放送局からの番組を良好に受信することができる。仮に、その受信チャンネルとして選択されるチャンネルに対応する送信所が、切換え前の放送局のチャンネルが対応付けられた送信所と同じでなく、切換え後の放送局からの番組が良好に受信できない場合であても、限られた範囲（取得された複数のチャンネルの範囲）で受信が良好なチャンネルを探索すればよいので、その処理も大きく負担になることはない。
【００４２】
前述した地上デジタルテレビ放送受信装置では、制御ユニット２０（表示制御手段）は、操作部２３での操作に応じて、映像処理部１５を制御して、記憶部２４に格納されたチャンネルプリセットリスト（図３参照）に基づいて、現在受信可能な放送局とチャンネルとの関係を送信所毎に区別して所定の形式にて表示部２１に表示させることができる。この場合、そのチャンネルプリセットリスト全体を表示させることも、例えば、送信所（ＴＴＴ中継所、ＭＭＭ中継所、ＮＮＮ中継所）毎に、チャンネルのリストを個別に表示させることもできる。これにより、利用者は、表示部２１に表示されるチャンネルプリセットリストに基づいた情報から、送信所毎に区別して受信可能な放送局とチャンネルとの関係を知ることができる。
【００４３】
なお、チャンネルプリセットリストの形式は図３に示すものに限定されず、各送信所に対応させて前記複数の放送局のそれぞれに対して決められたチャンネルを表すものであればよい。
【００４４】
デジタル放送受信装置の一例として、地上デジタルテレビ放送受信装置を説明したが、これに限定されず、他の種のデジタル放送受信装置であってもよい。
【産業上の利用可能性】
【００４５】
本発明に係るデジタル受信装置は、複数の送信所からの放送電波が受信できる領域が複雑に入り組んだ地域であっても、容易に適切なチャンネルを選択（選局）することができるという効果を有し、地上デジタルテレビ放送の受信装置等のデジタル放送受信装置として有用である。
【符号の説明】
【００４６】
１１  選局部
１２  復調部
１３  多重分離部
１４  デコード部
１５  映像処理部
１６  音声処理部
２０  制御ユニット
２１  表示部
２２  スピーカ
２３  操作部
２４  記憶部
【図１】
2014143622.tif 000003
【図２】
2014143622.tif 000004
【図３】
2014143622.tif 000005
【図４】
2014143622.tif 000006
【図５】
2014143622.tif 000007
【図６】
2014143622.tif 000008